(57)【要約】      （修正有）【課題】糊付機本体を覆う際は元より、糊付機本体から取り外す際も容易で、糊付機本体からずれたり外れたりすることが少ない乾燥防止シートを備えた壁紙糊付機を提供する。【解決手段】糊付機本体１の後部から引き入れたシート状壁装材を複数のローラで前方へ送り出しながら、糊付機本体内の糊桶５に収容されている糊を糊付けローラ３１で壁装材の裏面に転写することによって連続的に糊を塗布できる様、壁紙糊付機を構成する。さらに、糊付機本体１の後面側壁面及び前面側壁面を覆う乾燥防止シート６０と、糊付機本体の上面に乾燥防止シート６０を係止する貼り合わせファスナーなどからなる係止手段とを備える。【選択図】図２
0003165533.tif 000002
【実用新案登録請求の範囲】
【請求項１】
糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体の後面側壁面及び前面側壁面を覆う乾燥防止シートと、前記糊付機本体の上面に前記乾燥防止シートを係止する係止手段とを備えたことを特徴とする壁紙糊付機。
【請求項２】
糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であることを特徴とする壁紙糊付機。
【請求項３】
糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体が、前記壁装材を装着する際に開放される上部構体と、壁装材の裏面に連続的に糊を塗布する糊付けローラを含む下部構体とを備え、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であり、
前記貼り合わせファスナーの一方が、糊付機本体の上部構体を構成する枠部材のうち、長手方向に平行な長手枠部材の上面に設置されていることを特徴とする壁紙糊付機。
【請求項４】
糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体が、前記壁装材を装着する際に開放される上部構体と、壁装材の裏面に連続的に糊を塗布する糊付けローラを含む下部構体とを備え、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であり、
前記貼り合わせファスナーの一方が、糊付機本体の上部構体を構成する一組の長手枠部材と一組の短手枠部材のうち、一組の長手枠部材の各々の上面に設置され、
前記一組の長手枠部材の間に短手枠部材に平行に架設された１本以上の架設部材を備えたことを特徴とする壁紙糊付機。
【請求項５】
糊付機本体の後部から引き入れたシート状壁装材を複数のローラで前方へ送り出しながら、本体内の糊桶に収容されている糊を糊付けローラで前記壁装材の裏面に転写することによって連続的に糊を塗布する壁紙糊付機の本体を覆う乾燥防止シートにおいて、
通気性がない素材のシートであって、前記糊付機本体の上面に備えられた貼り合わせファスナーに係着可能な貼り合わせファスナーを備えたことを特徴とする壁紙糊付機用乾燥防止シート。
【考案の詳細な説明】
【技術分野】
【０００１】
本考案は、室内壁面等に貼付されるシート状壁装材の裏面に連続的に糊を塗布する壁紙糊付機及び壁紙糊付機用乾燥防止シートの工夫に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊をローラで糊上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機では、糊付け作業を終了した都度に、壁紙糊付機の複数のローラや糊桶を洗浄する煩雑性を解消するため、例えば翌日の糊付け作業までの間、壁紙糊付機内部の糊桶内の糊や、糊付けロール及び糊上げロール等に付着した糊の乾燥を防止することができる壁紙糊付機用乾燥防止シートが提案されている（例えば、特許文献１、特許文献２参照）。
【先行技術文献】
【特許文献】
【０００７】
【特許文献１】特開平９−２０００号公報
【特許文献２】特開２００６−１５０３３８号公報
【考案の概要】
【考案が解決しようとする課題】
【０００８】
ところで、特許文献１の発明では、上部構体を上方に向けて回動し、糊付機本体を開口した状態で、下部構体内に配列された複数のローラ上に乾燥防止シートを被せるものであり、乾燥防止のために上部構体と下部構体との間にシートを配置するのが手間であり、尚且つ、壁紙糊付機自体を配置する内装工事現場は埃が多く、シートに覆われていない上部構体に埃等の汚れが付着する場合があった。
【０００９】
また、特許文献２の発明では、糊付機本体を覆うプラスチック製の本体カバーの裏面に、糊付機本体の後面側壁面及び前面側壁面を覆うシートが折りたたまれて掛止されているものであり、本体カバーに係止されているシートを畳んで本体カバーの裏面に再度設置すること自体が手間であった。
【００１０】
本考案は、糊付機本体を覆う際は元より、糊付機本体から取り外す際も容易で、糊付機本体からずれたり外れたりすることが少ない乾燥防止シートを備えた壁紙糊付機及び壁紙糊付機用乾燥防止シートを得ることを目的とする。
【課題を解決するための手段】
【００１１】
請求項１に記載された考案に係る壁紙糊付機は、糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体の後面側壁面及び前面側壁面を覆う乾燥防止シートと、前記糊付機本体の上面に前記乾燥防止シートを係止する係止手段とを備えたことを特徴とするものである。
【００１２】
請求項２に記載された考案に係る壁紙糊付機は、糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であることを特徴とするものである。
【００１３】
請求項３に記載された考案に係る壁紙糊付機は、糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体が、前記壁装材を装着する際に開放される上部構体と、壁装材の裏面に連続的に糊を塗布する糊付けローラを含む下部構体とを備え、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であり、
前記貼り合わせファスナーの一方が、糊付機本体の上部構体を構成する枠部材のうち、長手方向に平行な長手枠部材の上面に設置されていることを特徴とするものである。
【００１４】
請求項４に記載された考案に係る壁紙糊付機は、糊付機本体の後部から引き入れたシート状壁装材を複数のローラで前方へ送り出しながら、前記糊付機本体内の糊桶に収容されている糊を糊付けローラで前記壁装材の裏面に転写することによって連続的に糊を塗布する壁紙糊付機において、
前記糊付機本体が、前記壁装材を装着する際に開放される上部構体と、壁装材の裏面に連続的に糊を塗布する糊付けローラを含む下部構体とを備え、
前記糊付機本体の後面側壁面及び前面側壁面を覆う乾燥防止シートと、前記糊付機本体の上面に前記乾燥防止シートを係止する係止手段とを備え、
前記係止手段が糊付機本体の上面と前記乾燥防止シートの下面の対応位置とに各々取付けられた互いに係着可能な貼り合わせファスナーの組であり、
前記貼り合わせファスナーの一方が、糊付機本体の上部構体を構成する一組の長手枠部材と一組の短手枠部材のうち、一組の長手枠部材の各々の上面に設置され、
前記一組の長手枠部材の間に短手枠部材に平行に架設された１本以上の架設部材を備えたことを特徴とするものである。
【００１５】
請求項５に記載された考案に係る壁紙糊付機用乾燥防止シートは、糊付機本体の後部から引き入れたシート状壁装材を複数のローラで前方へ送り出しながら、本体内の糊桶に収容されている糊を糊付けローラで前記壁装材の裏面に転写することによって連続的に糊を塗布する壁紙糊付機の本体を覆う乾燥防止シートにおいて、
通気性がない素材のシートであって、前記糊付機本体の上面に備えられた貼り合わせファスナーに係着可能な貼り合わせファスナーを備えたことを特徴とするものである。
【考案の効果】
【００１６】
本考案は、糊付機本体の後面側壁面及び前面側壁面を覆う乾燥防止シートと、前記糊付機本体の上面に前記乾燥防止シートを係止する係止手段とを備えることにより、糊付機本体を覆う際は元より、糊付機本体から取り外す際も容易で、糊付機本体からずれたり外れたりすることが少ない乾燥防止シートを備えた壁紙糊付機を得ることができるという効果がある。
【図面の簡単な説明】
【００１７】
【図１】本考案の一実施例の壁紙糊付機の壁紙糊付機の側面図である。
【図２】図１の壁紙糊付機本体の内部構成を示す説明図である。
【図３】図１の壁紙糊付機の斜視図である。
【図４】図３に示された壁紙糊付機の要部の拡大図である。
【図５】本考案の乾燥防止シートの平面構成を示す説明図である。
【考案を実施するための形態】
【００１８】
本考案においては、糊付機本体の後面側壁面及び側壁面を覆う乾燥防止シートと、糊付機本体の上面に前記乾燥防止シートを係止する係止手段とを備えることにより、糊付機本体を覆う際は元より、糊付機本体から取り外す際も容易で、糊付機本体からずれたり外れたりすることがなく、前記乾燥防止シート自体が汚れた場合、容易に取り外し、洗浄することも可能である。このため、翌日の糊付け作業までの間、壁紙糊付機に付着した糊の乾燥を防止することができ、糊付け作業を終了した都度に、壁紙糊付機の複数のローラや糊桶を洗浄する煩雑性が解消される。また、糊付機本体全体をシートで覆うことができるため、埃が多い内装工事現場に壁紙糊付機を放置しても、埃等の汚れが付着する虞が少ない。
【００１９】
本考案における乾燥防止シートとしては、通気性がないシートであれば良く、前述の特許文献１で開示された保水層と不通気層との２層が貼り合わせられて構成されたものでも良い。特に、内装工事現場で汚れることが充分に想定されるため、糊付機本体の洗浄の際に一緒に洗浄可能な防水性のシートが好適である。
【００２０】
本考案における乾燥防止シートを係止する係止手段としては、マグネットや挟み込むもの等のように、種々のものが想定されるが、好ましくは、貼り合わせファスナーを用いることが装着も容易であり、折りたたみも容易であり、覆った後にズレや落下等が少なく好適である。
【００２１】
本考案における貼り合わせファスナーは、好ましくは、糊付機本体の上面と前記乾燥防止シートの下面の対応位置とに各々取付けられた互いに係着可能に設置される。糊付機本体の上部の具体例としては、貼り合わせファスナーの一方が、糊付機本体の上部構体を構成する枠部材のうち、長手方向に平行な長手枠部材の上面に設置されたものが、貼り合わせやすく、より好ましい。
【００２２】
尚、従来の糊付機本体の上部構体では、長手枠部材とこれを連結する短手枠部材との枠部材で構成されたものがあった。この場合、乾燥防止シートを糊付機本体の上面から覆うように装着した場合に、上部構体の各ローラにシートが垂れて触れる場合が想定される。この場合、ロール間にシートが挟み込まれることも想定される。このため、好ましくは、一組の長手枠部材の間に短手枠部材に平行に架設された１本以上の架設部材を備える。
【００２３】
また、本考案の壁紙糊付機用乾燥防止シートは、通気性がない素材のシートであって、前記糊付機本体の上面に備えられた貼り合わせファスナーに係着可能な貼り合わせファスナーを備えることにより、糊付機本体を覆う際は元より、糊付機本体から取り外す際も容易で、糊付機本体からずれたり外れたりすることが少ない。
【００２４】
本考案の貼り合わせファスナーは、好ましくは、糊付機本体の上部構体を構成する枠部材のうち、長手方向に平行な長手枠部材の上面に設置されている貼り合わせファスナーの一方に対応するように、シート内に形成されればよい。
【実施例】
【００２５】
１．全体構成
図１は本考案の一実施例の壁紙糊付機の壁紙糊付機の側面図である。図２は図１の壁紙糊付機本体の内部構成を示す説明図である。図１及び図２に示す通り、本実施例の壁紙糊付機は、糊付機本体１と、この糊付機本体１を載置する台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１５の両側壁下方の２箇所のフックに各々掛止されるパチン錠１６で固定される。
【００２６】
台座部１５と一対の脚部２とには、左右の脚部２同士が対向するように折りたたみ可能な折りたたみ機構が備わっており、台座部１５と脚部２との折りたたみ部位にはカバー２３が形成されている。尚、このカバー２３の最下部は折りたたみ時に接地する接地部２４が形成されている。
【００２７】
糊付機本体１は、糊桶５を主とする下部構体３とその上に開閉可能に載置される上部構体４とによって構成される。下部構体３及び上部構体４は短手枠部材として両側に配された一対の下部側板部３５及び上部側板４５と、これらを連結する少なくとも一対の長手枠部材としての下部連結枠材３６及び上部連結枠材４６とで構成される。
【００２８】
上部側板４５の上部の中央部は凹状に切り込みが形成され、その凹部の上面に左右一対の取手部材４８が設置されている。一方の側板１１の下部構体３にはコントローラ８が装着され、下部構体３の後面側には着脱可能なスリッター７が配され、上部構体４はこの下部構体３の上部を覆うように配されている。
【００２９】
図１に示す通り、コントローラ８内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に塗布塗布される。
【００３０】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に塗布する。
【００３１】
糊付けローラ３１は、糊付機本体１に着脱自在に取付けられる駆動源である電動モータを備えたコントローラ８の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００３２】
均しローラ３４には、図３に示す通り、均しローラ３４を介して送られて来る糊付済のクロスＣを糊付機本体１の前面に案内するための複数個のツメ５３が長手方向にほぼ均等に装着されたツメステー５４が、両端に配された装着具（図示せず）を介して取付けられている。
【００３３】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３４】
２．主要部
図３は図１の壁紙糊付機の斜視図である。図４は図３に示された壁紙糊付機の要部の拡大図である。図５は本考案の乾燥防止シートの平面構成を示す説明図である。
【００３５】
図３に示す通り、上部構体４は左右一対の短手枠部材としての上部側板４５と、これらを連結する前後一対の長手枠部材４６とで構成される。一対の長手枠部材４６は同形状の構成材で同じ高さ位置に配されている。一対の長手枠部材４６の間には上部側板４５に平行に架設された４本の架設部材４７が連結されている。
【００３６】
図２に示す通り、糊付け作業を終了した都度に、壁紙糊付機の複数のローラや糊桶を洗浄する煩雑性を解消する目的で、例えば翌日の糊付け作業までの間、壁紙糊付機内部の糊桶内の糊や、糊付けロール及び糊上げロール等に付着した糊の乾燥を防止するために、本実施例の糊付機本体１は、乾燥防止シート６０で覆うことができる。
【００３７】
この乾燥防止シート６０は図５に示す通り、糊付機本体１の両側壁間の横幅と同じ長さの幅を有し、シート中央部にこの幅方向に貼り合わせファスナーの貼着体テープ６１が、２本配されている。この２本の貼着体テープ６１の間隙長さは、長手枠部材４６の幅長さと同じになっている。
【００３８】
これに対して、糊付機本体１の上部構体の長手枠部材４６の上面には、この貼着体テープ６１に貼着する鉤体テープ６２が設置されている。図４に示す通り、乾燥防止シート６０の一組の貼着体テープ６１と、一組の鉤体テープ６２とを貼り合わせながらシート６０で糊付機本体１を覆うことにより、容易にシート６０を装着することができ、糊付機本体１からズレたり外れたりすることが少ない。
【００３９】
尚、貼り合わせファスナーは、周知の通り、鉤体が多数形成された鉤体テープ６２と、この鉤体に係着するループ体や毛羽状体が多数形成された貼着体テープ６１との組が貼り合わせ可能となっているため、乾燥防止シート６０では、本実施例の２本の貼着体テープ６１の代わりに、２本の鉤体テープ６２か、貼着体テープ６１と鉤体テープ６２の１本ずつを備えるようにしても良い。
【符号の説明】
【００４０】
１  …糊付機本体、
１５…台座部、
１６…パチン錠、
２  …脚部、
２１…前脚、
２２…後脚、
２３…カバー、
２４…接地部、
３  …下部構体、
３１…糊付けローラ、
３２…下ピンチローラ、
３３…ドクターローラ、
３４…均しローラ、
３５…下部側板部、
３６…下部連結枠材、
３９…レバー、
４  …上部構体、
４１…上ピンチローラ、
４２…押さえローラ、
４３…ドライブローラ、
４５…上部側板部、
４６…長手枠部材、
４７…架設部材、
４８…取手部材、
５  …糊桶、
５１…糊上げローラ、
５３…ツメ、
５４…ツメステー、
６０…乾燥防止シート、
６１…貼り合わせファスナーの貼着体テープ、
６２…貼り合わせファスナーの鉤体テープ、
７  …スリッター、
８  …コントローラ、
Ｒ  …ロール、
Ｃ  …クロス、
【図１】
0003165533.tif 000003
【図２】
0003165533.tif 000004
【図３】
0003165533.tif 000005
【図４】
0003165533.tif 000006
【図５】
0003165533.tif 000007